(57)【特許請求の範囲】
【請求項１】
所定列のデータ線、所定行の走査線、及び前記各データ線と前記各走査線との交差箇所に設けられている画素を有する表示パネルと、
該表示パネルの前記データ線側に配置され、伝送されたデータ信号に基づく画素データを、該当する表示領域の前記各データ線に書き込む複数のデータ線駆動回路と、
与えられた走査制御信号に基づいて、前記各走査線を所定の順序で駆動するための走査線駆動信号を出力する走査線駆動回路と、
与えられた映像信号に基づいて、前記データ信号を生成して該当する前記データ線駆動回路へデータ信号伝送配線を介して伝送すると共に、前記走査制御信号を生成して前記走査線駆動回路へ与える信号処理手段とを有する画像表示装置であって、
前記信号処理手段は、
前記各データ線駆動回路毎に、前記データ信号に対して、伝送される前の階調レベルと比較して変化量が所定値よりも大きい場合は、当該データ信号の極性を全て反転して該当する前記データ線駆動回路へ伝送すると共に、当該データ信号の極性が反転されていることを示す極性反転通知信号を生成して通知信号伝送配線を介して前記データ線駆動回路へ伝送する極性反転通知信号生成部と、
該極性反転通知信号生成部で生成される前記極性反転通知信号の初期極性を、前記各通知信号伝送配線毎に設定する極性反転通知信号初期極性設定部とが設けられ、
前記各データ線駆動回路は、
前記極性反転通知信号に基づいて、伝送された前記データ信号の極性を反転する構成とされていることを特徴とする画像表示装置。
【請求項２】
前記極性反転通知信号生成部は、
前記データ信号に対して、伝送される前のデータ信号と比較して極性が変化するデータが過半数よりも多い場合に、当該データ信号の極性を全て反転する構成とされていることを特徴とする請求項１記載の画像表示装置。
【請求項３】
前記各データ線駆動回路は、
前記表示パネルの上下の前記データ線側にそれぞれ配置され、
前記極性反転通知信号初期極性設定部は、
前記極性反転通知信号生成部で生成される前記極性反転通知信号の初期極性を、前記表示パネルの上側に配置されているデータ線駆動回路と下側に配置されているデータ線駆動回路とで互いに逆極性に設定する構成とされていることを特徴とする請求項１又は２記載の画像表示装置。
【請求項４】
前記各データ線駆動回路は、
前記表示パネルの上下の前記データ線側にそれぞれ配置され、
前記極性反転通知信号初期極性設定部は、
前記極性反転通知信号生成部で生成される前記極性反転通知信号の初期極性を、前記表示パネルの左上側に配置されているデータ線駆動回路と左下側に配置されているデータ線駆動回路とで互いに逆極性に設定すると共に、前記表示パネルの右上側に配置されているデータ線駆動回路と右下側に配置されているデータ線駆動回路とで互いに逆極性に設定し、かつ、前記表示パネルの左上側に配置されているデータ線駆動回路と右上側に配置されているデータ線駆動回路とで互いに逆極性に設定する構成とされていることを特徴とする請求項１又は２記載の画像表示装置。
【請求項５】
前記表示パネルの上側に配置され、該表示パネルの上側に配置されている前記各データ線駆動回路と該当する前記データ線とを接続するための第１の基板と、
前記表示パネルの下側に配置され、該表示パネルの下側に配置されている前記各データ線駆動回路と該当する前記データ線とを接続するための第２の基板と、
導電性の素材で構成され、前記第１の基板のグラウンドパターンの左側端部、ほぼ中心部及び右側端部が電気的に接続されていると共に、前記第２の基板のグラウンドパターンの左側端部、ほぼ中心部及び右側端部が電気的に接続されている筐体とを有することを特徴とする請求項３又は４記載の画像表示装置。
【請求項６】
所定列のデータ線、所定行の走査線、及び前記各データ線と前記各走査線との交差箇所に設けられている画素を有する表示パネルと、
該表示パネルの左上、左下、右上及び右下の前記データ線側に配置され、伝送されたデータ信号に基づく画素データを、該当する表示領域の前記各データ線に書き込む４つのデータ線駆動回路と、
与えられた走査制御信号に基づいて、前記各走査線を所定の順序で駆動するための走査線駆動信号を出力する走査線駆動回路と、
与えられた映像信号に基づいて、前記データ信号を生成して該当する前記各データ線駆動回路へ各データ信号伝送配線を介してそれぞれ伝送すると共に、前記走査制御信号を生成して前記走査線駆動回路へ与える信号処理手段とを有する画像表示装置であって、
前記信号処理手段は、
前記データ信号を前記各データ信号伝送配線に対して同一位相で送出する構成とされ、
前記各データ信号伝送配線は、
前記データ信号の電流の向きが、前記表示パネルの左上側に配置されている前記データ線駆動回路と左下側に配置されている前記データ線駆動回路とで互いに逆になると共に、前記表示パネルの右上側に配置されている前記データ線駆動回路と右下側に配置されている前記データ線駆動回路とで互いに逆になり、かつ、前記表示パネルの左上側に配置されている前記データ線駆動回路と右上側に配置されている前記データ線駆動回路とで互いに逆になるように配置されていることを特徴とする画像表示装置。
【請求項７】
所定列のデータ線、所定行の走査線、及び前記各データ線と前記各走査線との交差箇所に設けられている画素を有する表示パネルと、
該表示パネルの前記データ線側に配置され、伝送されたデータ信号に基づく画素データを、該当する表示領域の前記各データ線に書き込む複数のデータ線駆動回路と、
与えられた走査制御信号に基づいて、前記各走査線を所定の順序で駆動するための走査線駆動信号を出力する走査線駆動回路と、
与えられた映像信号に基づいて、前記データ信号を生成して該当する前記データ線駆動回路へデータ信号伝送配線を介して伝送すると共に、前記走査制御信号を生成して前記走査線駆動回路へ与える信号処理手段とを有する画像表示装置に用いられる伝送信号制御方法であって、
前記信号処理手段では、
極性反転通知信号生成部が、前記各データ線駆動回路毎に、前記データ信号に対して、伝送される前の階調レベルと比較して変化量が所定値よりも大きい場合は、当該データ信号の極性を全て反転して該当する前記データ線駆動回路へ伝送すると共に、当該データ信号の極性が反転されていることを示す極性反転通知信号を生成して通知信号伝送配線を介して前記データ線駆動回路へ伝送し、
極性反転通知信号初期極性設定部が、前記極性反転通知信号生成部で生成される前記極性反転通知信号の初期極性を、前記通知信号伝送配線毎に設定し、
前記各データ線駆動回路では、
前記極性反転通知信号に基づいて、伝送された前記データ信号の極性を反転することを特徴とする伝送信号制御方法。
【請求項８】
前記極性反転通知信号生成部では、
前記データ信号に対して、伝送される前のデータ信号と比較して極性が変化するデータ信号が過半数よりも多い場合に、当該データ信号の極性を全て反転することを特徴とする請求項７記載の伝送信号制御方法。
【請求項９】
前記各データ線駆動回路は、前記表示パネルの上下の前記データ線側にそれぞれ配置され、
前記極性反転通知信号初期極性設定部が、前記極性反転通知信号生成部で生成される前記極性反転通知信号の初期極性を、前記表示パネルの上側に配置されているデータ線駆動回路と下側に配置されているデータ線駆動回路とで互いに逆極性に設定することを特徴とする請求項７又は８記載の伝送信号制御方法。
【請求項１０】
前記各データ線駆動回路は、前記表示パネルの上下の前記データ線側にそれぞれ配置され、
前記極性反転通知信号初期極性設定部が、前記極性反転通知信号生成部で生成される前記極性反転通知信号の初期極性を、前記表示パネルの左上側に配置されているデータ線駆動回路と左下側に配置されているデータ線駆動回路とで互いに逆極性に設定すると共に、前記表示パネルの右上側に配置されているデータ線駆動回路と右下側に配置されているデータ線駆動回路とで互いに逆極性に設定し、かつ、前記表示パネルの左上側に配置されているデータ線駆動回路と右上側に配置されているデータ線駆動回路とで互いに逆極性に設定することを特徴とする請求項７又は８記載の伝送信号制御方法。
【発明の詳細な説明】
【技術分野】
【０００１】
この発明は、画像表示装置及び該画像表示装置に用いられる伝送信号制御方法に係り、特に、大型かつ高精細のため、映像信号に基づくデータ信号の伝送配線が複雑になる場合に適用して好適な画像表示装置及び該画像表示装置に用いられる伝送信号制御方法に関する。
【背景技術】
【０００２】
液晶表示装置などの画像表示装置では、表示パネルを駆動するためのドライバＩＣや、入力された映像信号に対して、タイミング制御や並べ替えなどの処理を行って同ドライバＩＣへ出力するタイミングコントローラＩＣ、及び、これらのＩＣに電源を供給するための電源回路などが設けられている。ここで、表示パネルを駆動するためのドライバＩＣに入力されるデータ信号の伝送について検討する。ドライバＩＣとタイミングコントローラＩＣとは、データ信号伝送配線を介して電気的に接続されている。この配線を介してデータ信号を伝送する方式としては、たとえばＣＭＯＳ伝送などのパラレル伝送方式や、ＲＳＤＳ（Reduced Swing Differential Signaling）伝送及びmini−ＬＶＤＳ（Low Voltage Differential Signaling）伝送などの差動信号伝送方式がある。
【０００３】
このデータ信号の伝送が、画像表示装置におけるＥＭＩ（Electro Magnetic Interference 、電磁妨害）放射レベルを悪化させる原因の１つとなっている。特に、ＣＭＯＳ伝送では、入力される映像信号の階調レベルに対応した数のデータ信号伝送配線において、同データ信号が電源電圧とグラウンドレベルとの範囲（たとえば、３．３Ｖ〜０Ｖ）内でスイングして信号波形が変化するため、大きなＥＭＩ放射の原因となる。このＥＭＩ放射を低減するために、インバート信号を用いる伝送方法がある。この伝送方法では、階調レベルに対応した数のデータ信号伝送配線において、映像信号を全てスイングさせるのではなく、伝送される前の階調レベルと比較して変化量が大きい場合は、インバート信号を変化させる一方、データ信号の極性を全て反転するようになっている。ところが、この伝送方法を用いても、入力される映像信号の階調レベルや、データ信号伝送配線の配置、あるいは画像表示装置のシステムとしてのグラウンドループなどの影響により、特に大型高精細の画像表示装置では、ＥＭＩ放射レベルが大きく、さらなる対策が必要となる場合が多い。
【０００４】
この場合、インバート信号の極性は、前階調との映像信号の極性変化量で判定されるため、高レベル（以下、“Ｈ”という）でも低レベル（以下、“Ｌ”という）”でも、画像表示装置が正常に動作するため、インバート信号の初期状態の極性は不定状態となっていることが多い。また、画像表示装置の消費電流の変動を回避することを目的として、インバート信号の極性を全て同一極性に固定する場合も多い。この状態では、画像表示装置全体の電流ループのうちの一部の電流ループで電磁界が干渉し、強めあっている箇所が多く発生している可能性があり、ＥＭＩ放射レベルが悪化する可能性がある。
【０００５】
この種の関連技術としては、たとえば、特許文献１に記載された液晶表示装置の駆動回路がある。
この駆動回路では、図１９に示すように、コントローラ２により、４つの出力ポート毎に、バスラインへの出力に極性の変化を生じさせるデータ信号が過半数以上ある場合には、全データ信号の極性が反転されて、各出力ポートから各々データＢＵＳ−Ａ１〜２４、ＢＵＳ−Ｂ１〜２４、ＢＵＳ−Ｃ１〜２４、ＢＵＳ−Ｄ１〜２４がバスラインへ出力される。また、コントローラ２により、４つの出力ポート毎に、バスラインへ出力されるデータ信号の極性が反転されていることを示す極性反転信号ＩＮＶ−Ａ〜Ｄが出力されるので、バスラインへのデータの極性の変化量を、転送するデータ信号の半数以下に低減することができる。
【先行技術文献】
【特許文献】
【０００６】
【特許文献１】特開２００１−１６６７４０号公報
【発明の概要】
【発明が解決しようとする課題】
【０００７】
しかしながら、上記関連技術では、次のような課題があった。
すなわち、特許文献１に記載された駆動回路では、バスラインで転送されるデータの極性の変化量が低減されるが、電流により生ずる磁界を相互に相殺する構成になっていない。このため、液晶表示装置全体で見た場合の電流の向きに関しては制御されず、この構成のみではＥＭＩが十分に低減されないという課題がある。
【０００８】
この発明は、上述の事情に鑑みてなされたもので、ＥＭＩ放射レベルが低減される画像表示装置及び該画像表示装置に用いられる伝送信号制御方法を提供することを目的としている。
【課題を解決するための手段】
【０００９】
上記課題を解決するために、この発明の第１の構成は、所定列のデータ線、所定行の走査線、及び前記各データ線と前記各走査線との交差箇所に設けられている画素を有する表示パネルと、該表示パネルの前記データ線側に配置され、伝送されたデータ信号に基づく画素データを、該当する表示領域の前記各データ線に書き込む複数のデータ線駆動回路と、与えられた走査制御信号に基づいて、前記各走査線を所定の順序で駆動するための走査線駆動信号を出力する走査線駆動回路と、与えられた映像信号に基づいて、前記データ信号を生成して該当する前記データ線駆動回路へデータ信号伝送配線を介して伝送すると共に、前記走査制御信号を生成して前記走査線駆動回路へ与える信号処理手段とを有する画像表示装置に係り、前記信号処理手段は、前記各データ線駆動回路毎に、前記データ信号に対して、伝送される前の階調レベルと比較して変化量が所定値よりも大きい場合は、当該データ信号の極性を全て反転して該当する前記データ線駆動回路へ伝送すると共に、当該データ信号の極性が反転されていることを示す極性反転通知信号を生成して通知信号伝送配線を介して前記データ線駆動回路へ伝送する極性反転通知信号生成部と、該極性反転通知信号生成部で生成される前記極性反転通知信号の初期極性を、前記各通知信号伝送配線毎に設定する極性反転通知信号初期極性設定部とが設けられ、前記各データ線駆動回路は、前記極性反転通知信号に基づいて、伝送された前記データ信号の極性を反転する構成とされていることを特徴としている。
【００１０】
この発明の第２の構成は、所定列のデータ線、所定行の走査線、及び前記各データ線と前記各走査線との交差箇所に設けられている画素を有する表示パネルと、該表示パネルの前記データ線側に配置され、伝送されたデータ信号に基づく画素データを、該当する表示領域の前記各データ線に書き込む複数のデータ線駆動回路と、与えられた走査制御信号に基づいて、前記各走査線を所定の順序で駆動するための走査線駆動信号を出力する走査線駆動回路と、与えられた映像信号に基づいて、前記データ信号を生成して該当する前記データ線駆動回路へデータ信号伝送配線を介して伝送すると共に、前記走査制御信号を生成して前記走査線駆動回路へ与える信号処理手段とを有する画像表示装置に用いられる伝送信号制御方法に係り、前記信号処理手段では、極性反転通知信号生成部が、前記各データ線駆動回路毎に、前記データ信号に対して、伝送される前の階調レベルと比較して変化量が所定値よりも大きい場合は、当該データ信号の極性を全て反転して該当する前記データ線駆動回路へ伝送すると共に、当該データ信号の極性が反転されていることを示す極性反転通知信号を生成して通知信号伝送配線を介して前記データ線駆動回路へ伝送し、極性反転通知信号初期極性設定部が、前記極性反転通知信号生成部で生成される前記極性反転通知信号の初期極性を、前記通知信号伝送配線毎に設定し、前記各データ線駆動回路では、前記極性反転通知信号に基づいて、伝送された前記データ信号の極性を反転することを特徴としている。
【発明の効果】
【００１１】
この発明の構成によれば、画像表示装置のＥＭＩ放射レベルを低減することができる。
【図面の簡単な説明】
【００１２】
【図１】この発明の画像表示装置の構成の概念を示す図である。
【図２】この発明の第１の実施形態である画像表示装置の要部の電気的構成を示すブロック図である。
【図３】図２中のデータ線駆動回路２４，２５及び映像信号処理回路２６ｂの内部の構成を示す図である。
【図４】図３中のインバート信号初期極性設定部４６によるインバート信号ｎＡ，ｎＢ，ｎＣ，ｎＤの初期極性の設定例を示す図である。
【図５】図３中のインバート信号生成部４５の機能を説明する図である。
【図６】図３中のインバート信号生成部４５の機能を説明する図である。
【図７】データバス３４，３９，５４，５９のある時点における電流の向きの例を示す図である。
【図８】接続基板２４ａ，２５ａのグラウンドパターンが板金フレーム１３に接続された状態でのデータバス３４，３９，５４，５９のある時点における電流の向き、及び、電流による磁界の向きの例を示す図である。
【図９】図９が、板金フレーム１３の内部のある時点における電流ループ及び磁界の向きの例を示す図である。
【図１０】この発明の第２の実施形態である図３中のインバート信号初期極性設定部４６によるインバート信号ｎＡ，ｎＢ，ｎＣ，ｎＤの初期極性の他の設定例を示す図である。
【図１１】板金フレーム１３の内部のある時点における電流ループ及び磁界の向きの例を示す図である。
【図１２】この発明の画像表示装置の変形例を示す図である。
【図１３】この発明の画像表示装置の他の変形例を示す図である。
【図１４】この発明の画像表示装置の他の変形例を示す図である。
【図１５】この発明の画像表示装置の他の変形例を示す図である。
【図１６】この発明の画像表示装置の他の変形例を示す図である。
【図１７】この発明の画像表示装置の他の変形例を示す図である。
【図１８】各データバスのある時点における電流の向きの変形例を示す図である。
【図１９】関連技術に係る液晶表示装置の駆動回路の構成図である。
【発明を実施するための形態】
【００１３】
上記極性反転通知信号生成部（インバート信号生成部）が、上記データ信号に対して、伝送される前のデータ信号と比較して極性が変化するデータが過半数よりも多い場合に、当該データ信号の極性を全て反転する画像表示装置を実現する。
【００１４】
また、上記各データ線駆動回路は、上記表示パネルの上下の上記データ線側にそれぞれ配置され、上記極性反転通知信号初期極性設定部は、上記極性反転通知信号生成部で生成される上記極性反転通知信号の初期極性を、上記表示パネルの上側に配置されているデータ線駆動回路と下側に配置されているデータ線駆動回路とで互いに逆極性に設定する。
【００１５】
また、上記各データ線駆動回路は、上記表示パネルの上下の上記データ線側にそれぞれ配置され、上記極性反転通知信号初期極性設定部は、上記極性反転通知信号生成部で生成される上記極性反転通知信号の初期極性を、上記表示パネルの左上側に配置されているデータ線駆動回路と左下側に配置されているデータ線駆動回路とで互いに逆極性に設定すると共に、上記表示パネルの右上側に配置されているデータ線駆動回路と右下側に配置されているデータ線駆動回路とで互いに逆極性に設定し、かつ、上記表示パネルの左上側に配置されているデータ線駆動回路と右上側に配置されているデータ線駆動回路とで互いに逆極性に設定する。
【００１６】
また、上記画像表示装置は、上記表示パネルの上側に配置され、同表示パネルの上側に配置されている上記各データ線駆動回路と該当する上記データ線とを接続するための第１の基板と、上記表示パネルの下側に配置され、同表示パネルの下側に配置されている上記各データ線駆動回路と該当する上記データ線とを接続するための第２の基板と、導電性の素材で構成され、上記第１の基板のグラウンドパターンの左側端部、ほぼ中心部及び右側端部が電気的に接続されていると共に、上記第２の基板のグラウンドパターンの左側端部、ほぼ中心部及び右側端部が電気的に接続されている筐体とを有する。
【００１７】
また、この発明は、所定列のデータ線、所定行の走査線、及び上記各データ線と上記各走査線との交差箇所に設けられている画素を有する表示パネルと、同表示パネルの上記データ線側に配置され、伝送されたデータ信号に基づく画素データを、該当する表示領域の上記各データ線に書き込む２つのデータ線駆動回路と、与えられた走査制御信号に基づいて、上記各走査線を所定の順序で駆動するための走査線駆動信号を出力する走査線駆動回路と、与えられた映像信号に基づいて、上記データ信号を生成して該当する上記各データ線駆動回路へ各データ信号伝送配線を介してそれぞれ伝送すると共に、上記走査制御信号を生成して上記走査線駆動回路へ与える信号処理手段とを有する画像表示装置に係り、上記信号処理手段は、上記データ信号の電流の向きを、一方の上記データ線駆動回路と他方の上記データ線駆動回路とで互いに逆に設定する。上記２つのデータ線駆動回路は、特に、この形態では、上記表示パネルの上下の上記データ線側にそれぞれ配置されている。
【００１８】
また、この発明は、所定列のデータ線、所定行の走査線、及び上記各データ線と上記各走査線との交差箇所に設けられている画素を有する表示パネルと、同表示パネルの上下の上記データ線側にそれぞれ配置され、伝送されたデータ信号に基づく画素データを、該当する表示領域の上記各データ線に書き込む２つのデータ線駆動回路と、与えられた走査制御信号に基づいて、上記各走査線を所定の順序で駆動するための走査線駆動信号を出力する走査線駆動回路と、与えられた映像信号に基づいて、上記データ信号を生成して該当する上記各データ線駆動回路へ各データ信号伝送配線を介してそれぞれ伝送すると共に、上記走査制御信号を生成して上記走査線駆動回路へ与える信号処理手段とを有する画像表示装置に係り、上記信号処理手段は、上記データ信号を上記各データ信号伝送配線に対して同一位相で送出する構成とされ、上記各データ信号伝送配線は、上記データ信号の電流の向きが、一方の上記データ線駆動回路と他方の上記データ線駆動回路とで互いに逆になるように配置されている。
【００１９】
また、この発明は、所定列のデータ線、所定行の走査線、及び上記各データ線と上記各走査線との交差箇所に設けられている画素を有する表示パネルと、同表示パネルの左上、左下、右上及び右下の上記データ線側に配置され、伝送されたデータ信号に基づく画素データを、該当する表示領域の上記各データ線に書き込む４つのデータ線駆動回路と、与えられた走査制御信号に基づいて、上記各走査線を所定の順序で駆動するための走査線駆動信号を出力する走査線駆動回路と、与えられた映像信号に基づいて、上記データ信号を生成して該当する上記各データ線駆動回路へ各データ信号伝送配線を介してそれぞれ伝送すると共に、上記走査制御信号を生成して上記走査線駆動回路へ与える信号処理手段とを有する画像表示装置に係り、上記信号処理手段は、上記データ信号を上記各データ信号伝送配線に対して同一位相で送出する構成とされ、上記各データ信号伝送配線は、上記データ信号の電流の向きが、上記表示パネルの左上側に配置されている上記データ線駆動回路と左下側に配置されている上記データ線駆動回路とで互いに逆になると共に、上記表示パネルの右上側に配置されている上記データ線駆動回路と右下側に配置されている上記データ線駆動回路とで互いに逆になり、かつ、上記表示パネルの左上側に配置されている上記データ線駆動回路と右上側に配置されている上記データ線駆動回路とで互いに逆になるように配置されている。
【００２０】
図１は、この発明の画像表示装置の構成の概念を示す図である。
この画像表示装置は、接続基板１１と、接続基板１２と、板金フレーム１３とを有している。図示しない表示パネルは、たとえば液晶パネルであり、接続基板１１は、上記表示パネルの上側に配置されている複数のデータ線駆動回路（ソースドライバ）と上記表示パネルの該当するデータ線とを接続する。接続基板１２は、上記表示パネルの下側に配置されている複数のデータ線駆動回路（ソースドライバ）と上記表示パネルの該当するデータ線とを接続する。板金フレーム１３には、上記表示パネル、接続基板１１及び接続基板１２が収容されている。この画像表示装置では、接続基板１１上の電流により発生する磁界と、接続基板１２の電流が与える磁界とが相殺される。また、接続基板１２上の電流により発生する磁界と、接続基板１１の電流が与える磁界とが相殺される。
【実施形態１】
【００２１】
図２は、この発明の第１の実施形態である画像表示装置の要部の電気的構成を示すブロック図である。
この形態の画像表示装置は、液晶表示装置であり、同図に示すように、表示パネル２１と、走査ドライバ２２，２３と、データ線駆動回路２４，２５と、信号処理基板２６とを有している。表示パネル２１は、液晶パネルで構成され、図示しない所定列のデータ線、所定行の走査線、及び同各データ線と同各走査線との交差箇所に設けられている画素を有している。
【００２２】
走査ドライバ２２は、信号処理基板２６から与えられた走査制御信号ｃｔ１に基づいて、左側の各走査線を所定の順序（たとえば、線順次）で駆動するための走査線駆動信号を出力する。走査ドライバ２３は、信号処理基板２６から与えられた走査制御信号ｃｔ２に基づいて、右側の各走査線を線順次で駆動するための走査線駆動信号を出力する。データ線駆動回路２４は、表示パネル２１の上側のデータ線側に、たとえば、ＣＯＧ（Chip On Glass ）、ＣＯＦ（Chip On Film）、ＴＣＰ（Tape Carrier Package）などにより、図示しない複数のソースドライバが配置され、信号処理基板２６から伝送されたパラレル（たとえば、８ビット）のデータ信号ｖ１に基づく画素データを、該当する（すなわち、割り当てられている）表示領域の各データ線に書き込む。データ線駆動回路２５は、表示パネル２１の下側のデータ線側に、上側と同様に図示しない複数のソースドライバが配置され、信号処理基板２６から伝送されたパラレルのデータ信号ｖ２に基づく画素データを、該当する表示領域の各データ線に書き込む。
【００２３】
信号処理基板２６は、電源回路２６ａと、映像信号処理回路（ＩＣ）２６ｂとを有している。電源回路２６ａは、たとえばパソコンやモニタセットなどから供給される入力電源Ｐを元に、ＤＣ／ＤＣコンバータなどにより、この画像表示装置に必要な電源を生成して供給する。映像信号処理回路２６ｂは、与えられた映像信号ｖｉに対して、予め決められた伝送フォーマットへの並び替え及び出力タイミング制御などを行い、データ信号ｖ１，ｖ２を生成してデータ線駆動回路２４，２５へ伝送すると共に、走査制御信号ｃｔ１，ｃｔ２を生成して走査ドライバ２２，２３へ与える。
【００２４】
図３は、図２中のデータ線駆動回路２４，２５及び映像信号処理回路２６ｂの内部の構成を示す図である。
データ線駆動回路２４は、図３に示すように、接続基板２４ａに実装されている。接続基板２４ａは、ソースドライバ３１，３２、及びＣＭＯＳインタフェース（ＣＭＯＳ−ＴｘＡ）３３が実装され、また、データバス（データ信号伝送配線）３４及び通知信号伝送配線３５が設けられている。また、接続基板２４ａは、ＣＭＯＳインタフェース（ＣＭＯＳ−ＴｘＢ）３６、及びソースドライバ３７，３８が実装され、また、データバス（データ信号伝送配線）３９、通知信号伝送配線４０が設けられている。上記ソースドライバ３１，３２，３７，３８は、図示しないＦＰＣ（Flexible Printed Circuit）、ＣＯＦ（Chip On Film）又はＴＣＰ（Tape Carrier Package）などを介して表示パネル２１の該当するデータ線と接続されている。データ線駆動回路２５は、接続基板２５ａに実装されている。接続基板２５ａは、ソースドライバ５１，５２、及びＣＭＯＳインタフェース（ＣＭＯＳ−ＴｘＣ）５３が実装され、また、データバス（データ信号伝送配線）５４及び通知信号伝送配線５５が設けられている。また、接続基板２５ａは、ＣＭＯＳインタフェース（ＣＭＯＳ−ＴｘＤ）５６、及びソースドライバ５７，５８が実装され、また、データバス（データ信号伝送配線）５９、通知信号伝送配線６０が設けられている。上記ソースドライバ５１，５２，５７，５８は、図示しないＦＰＣ、ＣＯＦ又はＴＣＰなどを介して表示パネル２１の該当するデータ線と接続されている。
【００２５】
映像信号処理回路２６ｂは、インタフェースコネクタ（Ｉ／Ｆ ＣＮ）４１，４２、タイミングコントローラ（Ｔｃｏｎ）４３，４４、インバート信号生成部４５、及びインバート信号初期極性設定部４６が設けられ、フレキシブル基板（ＦＰＣ）４７，４８を介して接続基板２４ａと接続されていると共に、フレキシブル基板（ＦＰＣ）４９，５０を介して接続基板２５ａと接続されている。インタフェースコネクタ（Ｉ／Ｆ ＣＮ）４１，４２には、映像信号ｖｉが入力される。タイミングコントローラ（Ｔｃｏｎ）４３，４４は、入力される映像信号ｖｉに対して、予め決められた伝送フォーマットへの並び替え及び出力タイミング制御などを行い、データ信号ｖ１，ｖ２を生成する。
【００２６】
インバート信号生成部４５は、ソースドライバ３１，３２に伝送するためのデータ信号ｖ１に対して、伝送される前の階調レベルと比較して変化量が所定値よりも大きい場合は、同データ信号ｖ１の極性を全て反転してＣＭＯＳインタフェース（ＣＭＯＳ−ＴｘＡ）３３及びデータバス３４を介して同ソースドライバ３１，３２へ伝送すると共に、同データ信号ｖ１の極性が反転されていることを示すインバート信号（極性反転通知信号）ｎＡを生成して通知信号伝送配線３５を介して同ソースドライバ３１，３２へ伝送する。また、インバート信号生成部４５は、ソースドライバ３７，３８に伝送するためのデータ信号ｖ１に対して、伝送される前の階調レベルと比較して変化量が所定値よりも大きい場合は、同データ信号ｖ１の極性を全て反転してＣＭＯＳインタフェース（ＣＭＯＳ−ＴｘＢ）３６及びデータバス３９を介して同ソースドライバ３７，３８へ伝送すると共に、同データ信号ｖ１の極性が反転されていることを示すインバート信号（極性反転通知信号）ｎＢを生成して通知信号伝送配線４０を介して同ソースドライバ３７，３８へ伝送する。
【００２７】
インバート信号生成部４５は、ソースドライバ５１，５２に伝送するためのデータ信号ｖ２に対して、伝送される前の階調レベルと比較して変化量が所定値よりも大きい場合は、同データ信号ｖ２の極性を全て反転してＣＭＯＳインタフェース（ＣＭＯＳ−ＴｘＣ）５３及びデータバス５４を介して同ソースドライバ５１，５２へ伝送すると共に、同データ信号ｖ２の極性が反転されていることを示すインバート信号（極性反転通知信号）ｎＣを生成して通知信号伝送配線５５を介して同ソースドライバ５１，５２へ伝送する。また、インバート信号生成部４５は、ソースドライバ５７，５８に伝送するためのデータ信号ｖ２に対して、伝送される前の階調レベルと比較して変化量が所定値よりも大きい場合は、同データ信号ｖ２の極性を全て反転してＣＭＯＳインタフェース（ＣＭＯＳ−ＴｘＤ）５６及びデータバス５９を介して同ソースドライバ５７，５８へ伝送すると共に、同データ信号ｖ２の極性が反転されていることを示すインバート信号（極性反転通知信号）ｎＤを生成して通知信号伝送配線６０を介して同ソースドライバ５７，５８へ伝送する。この場合、インバート信号生成部４５は、データ信号ｖ１，ｖ２に対して、伝送される前の同データ信号ｖ１，ｖ２と比較して極性が変化するデータが過半数よりも多い場合に、当該データ信号ｖ１，ｖ２の極性を全て反転する。上記データバス３４，３９，５４，５９は、ＣＭＯＳ伝送方式でパラレルの８ビットのデータ信号を伝送する場合、Ｒ（赤），Ｇ（緑），Ｂ（青）の階調も含まれるので、８×３（Ｒ，Ｇ，Ｂ）＝２４本が必要となる。また、クロック信号の伝送線も必要である。
【００２８】
インバート信号初期極性設定部４６は、インバート信号生成部４５で生成されるインバート信号ｎＡ，ｎＢ，ｎＣ，ｎＤの初期極性を、通知信号伝送配線３５，４０，５５，６０毎に設定する。ソースドライバ３１，３２は、インバート信号ｎＡに基づいて、伝送されたデータ信号ｖ１の極性を反転（すなわち、元の極性に戻す）する。ソースドライバ３７，３８は、インバート信号ｎＢに基づいて、伝送されたデータ信号ｖ１の極性を反転（すなわち、元の極性に戻す）する。ソースドライバ５１，５２は、インバート信号ｎＣに基づいて、伝送されたデータ信号ｖ２の極性を反転（すなわち、元の極性に戻す）する。ソースドライバ５７，５８は、インバート信号ｎＤに基づいて、伝送されたデータ信号ｖ２の極性を反転（すなわち、元の極性に戻す）する。
【００２９】
図４は、図３中のインバート信号初期極性設定部４６によるインバート信号ｎＡ，ｎＢ，ｎＣ，ｎＤの初期極性の設定例を示す図である。
このインバート信号初期極性設定部４６では、図４に示すように、インバート信号（ＩＮＶＥＲＴ ）ｎＡ，ｎＢ，ｎＣ，ｎＤの初期極性を、表示パネル２１の上側に配置されているソースドライバ３１，３２，３７，３８と下側に配置されているソースドライバ５１，５２，５７，５８とで互いに逆極性に設定する。すなわち、インバート信号（ＩＮＶＥＲＴ ）ｎＡ，ｎＢの初期極性は“Ｌ”、及び、インバート信号（ＩＮＶＥＲＴ ）ｎＣ，ｎＤの初期極性が“Ｈ”に設定される。
【００３０】
図５及び図６は、図３中のインバート信号生成部４５の機能を説明する図である。
図５（ａ）に示すように、インバート信号がない場合、たとえば４ビットのデータバスＤ０，Ｄ１，Ｄ２，Ｄ３にて、ｎ＋１画素からｎ＋２画素に移行する際に４ビットのデータが変動するが、図５（ｂ）に示すように、インバート信号生成部４５によるインバート信号がある場合、ｎ＋１画素からｎ＋２画素に移行する際は、インバート信号のみ、つまり１ビットのデータが変動する。この場合、図６に示すように、Ｎ（ｎ，ｎ＋１，…）画素目の入力階調とＮ−１画素目の出力階調とのビットデータを比較して変化量が過半数よりも多い場合にインバート信号が出力される。これにより、インバート信号があることで、データバスの変化量を減らすことが可能であることが分かる。このデータバスの変化量を減らすということは、つまり、ＥＭＩ放射レベルを低減させることである。
【００３１】
ここで、インバート信号の極性について説明する。
図５（ｂ）において、ｎ画素目のＤ０〜Ｄ３のデータは全て“Ｌ”（“０”）であり、“００００”と表される。このとき、インバート信号の極性は、“Ｌ”となっているが、“Ｈ”であってもよく、もしｎ画素目のインバート信号が“Ｈ”である場合は、（ｎ＋１）画素目のインバート信号の極性は“Ｈ”となり、（ｎ＋２）画素目のインバート信号の極性が“Ｌ”となる。つまり、データバスが変化する点においてインバート信号の極性が変化すればよい。このように、インバート信号の初期状態の極性は、“Ｌ”又は“Ｈ”のいずれでも良いことになる。
【００３２】
図７は、データバス３４，３９，５４，５９のある時点における電流の向きの例を示す図、図８は、接続基板２４ａ，２５ａのグラウンドパターンが板金フレーム１３に接続された状態でのデータバス３４，３９，５４，５９のある時点における電流の向き、及び、電流による磁界の向きの例を示す図、及び図９が、板金フレーム１３の内部のある時点における電流ループ及び磁界の向きの例を示す図である。
これらの図を参照して、この形態の画像表示装置に用いられる伝送信号制御方法の処理内容について説明する。
この画像表示装置では、インバート信号生成部４５により、データ信号ｖ１，ｖ２に対して、伝送される前の同データ信号ｖ１，ｖ２と比較して極性が変化するデータが過半数よりも多い場合に、当該データ信号ｖ１，ｖ２の極性が全て反転される。また、インバート信号初期極性設定部４６により、インバート信号生成部４５で生成されるインバート信号の初期極性が、表示パネル２１の上側に配置されているデータ線駆動回路２４と下側に配置されているデータ線駆動回路２５とで互いに逆極性に設定される。また、導電性の素材で構成された筐体に、接続基板２４ａのグラウンドパターンの左側端部、ほぼ中心部及び右側端部が電気的に接続されていると共に、接続基板２５ａのグラウンドパターンの左側端部、ほぼ中心部及び右側端部が電気的に接続されている。
【００３３】
すなわち、図７に示すように、インバート信号（ＩＮＶＥＲＴ ）ｎＡ，ｎＢの初期極性は“Ｌ”、及び、インバート信号（ＩＮＶＥＲＴ ）ｎＣ，ｎＤの初期極性が“Ｈ”に設定され、ある時点におけるデータバス３４，３９，５４，５９上の各データ信号の電流の向きが、接続基板２４ａと接続基板２５ａとで逆向きになる。これにより、図８に示すように、各ＦＧ（フレームグラウンド）の箇所において、板金フレーム１３（筐体）に、接続基板２４ａのグラウンドパターンの左側端部、ほぼ中心部及び右側端部が電気的に接続されていると共に、接続基板２５ａのグラウンドパターンの左側端部、ほぼ中心部及び右側端部が電気的に接続されている場合、画像表示装置全体としての一部の電流ループが、ある時点において逆向きとなる箇所ができ、この箇所における磁界が逆向きとなって相殺される。この結果、図９に示すように、電流ループＡが作る磁界と電流ループＣが作る磁界、電流ループＡが作る磁界と電流ループＢが作る磁界、電流ループＢが作る磁界と電流ループＤが作る磁界、及び、電流ループＣが作る磁界と電流ループＤが作る磁界がそれぞれ相殺される。この場合、この画像表示装置全体としては、時計方向の電流ループが発生する。
【００３４】
以上のように、この第１の実施形態では、ある時点におけるデータバス３４，３９，５４，５９上の各データ信号の電流の向きが、接続基板２４ａと接続基板２５ａとで逆向きになるので、画像表示装置内部の電流ループによる磁界の一部が相殺され、ＥＭＩ放射レベルが低減される。
【実施形態２】
【００３５】
図１０は、この発明の第２の実施形態である図３中のインバート信号初期極性設定部４６によるインバート信号ｎＡ，ｎＢ，ｎＣ，ｎＤの初期極性の他の設定例を示す図である。
この形態のインバート信号初期極性設定部４６では、図１０に示すように、インバート信号生成部４５で生成されるインバート信号ｎＡ，ｎＢ，ｎＣ，ｎＤの初期極性を、表示パネル２１の左上側に配置されているソースドライバ３１，３２と左下側に配置されているソースドライバ５１，５２とで互いに逆極性に設定すると共に、同表示パネル２１の右上側に配置されているソースドライバ３７，３８と右下側に配置されているソースドライバ５７，５８とで互いに逆極性に設定し、かつ、同表示パネル２１の左上側に配置されているソースドライバ３１，３２と右上側に配置されているソースドライバ３７，３８とで互いに逆極性に設定する。すなわち、インバート信号（ＩＮＶＥＲＴ ）ｎＡ，ｎＤの初期極性は“Ｌ”、及び、インバート信号（ＩＮＶＥＲＴ ）ｎＢ，ｎＣの初期極性が“Ｈ”に設定される。
【００３６】
図１１は、板金フレーム１３の内部のある時点における電流ループ及び磁界の向きの例を示す図である。
この画像表示装置では、インバート信号初期極性設定部４６により、インバート信号生成部４５で生成されるインバート信号ｎＡ，ｎＢ，ｎＣ，ｎＤの初期極性が、ソースドライバ３１，３２とソースドライバ５１，５２とで互いに逆極性に設定されると共に、ソースドライバ３７，３８とソースドライバ５７，５８とで互いに逆極性に設定され、かつ、ソースドライバ３１，３２とソースドライバ３７，３８とで互いに逆極性に設定される。この結果、図１１に示すように、電流ループＡが作る磁界と電流ループＣが作る磁界、及び、電流ループＢが作る磁界と電流ループＤが作る磁界がそれぞれ相殺され、また、電流ループＡが作る磁界と電流ループＢが作る磁界、及び、電流ループＣが作る磁界と電流ループＤが作る磁界がそれぞれ強め合う。この場合、左側に時計方向の電流ループが発生する一方、右側に反時計方向の電流ループが発生するので、この画像表示装置全体としては、これらの電流ループによる磁界が相殺され、第１の実施形態と比較して、さらにＥＭＩ放射レベルが低減される。
【００３７】
以上、この発明の実施形態を図面により詳述してきたが、具体的な構成は同実施形態に限られるものではなく、この発明の要旨を逸脱しない範囲の設計の変更などがあっても、この発明に含まれる。
たとえば、図１２に示す画像表示装置では、図７中の接続基板２４ａ，２５ａに代えて、接続基板２４ｂ，２５ｂが設けられている。接続基板２４ｂでは、左側に、信号出力ＩＣ３３Ａ、データバス３４及びソースドライバ３１Ａ，３２Ａ、右側に、信号出力ＩＣ３６Ａ、データバス３９及びソースドライバ３７Ａ，３８Ａが設けられている。また、接続基板２５ｂでは、左側に、信号出力ＩＣ５３Ａ、データバス５４及びソースドライバ５１Ａ，５２Ａ、右側に、信号出力ＩＣ５６Ａ、データバス５９及びソースドライバ５７Ａ，５８Ａが設けられている。信号出力ＩＣ３３Ａ，３６Ａ，５３Ａ，５６Ａは、ＣＭＯＳ伝送に対応している。この画像表示装置の動作では、信号処理基板２６により、ある時点におけるデータバス３４，３９，５４，５９上の各データ信号の電流の向きが、接続基板２４ｂと接続基板２５ｂとで互いに逆に設定される。これにより、第１の実施形態とほぼ同様の利点がある。
【００３８】
また、図１３に示す画像表示装置では、図１２中の接続基板２４ｂ，２５ｂに代えて、接続基板２４ｃ，２５ｃが設けられている。接続基板２４ｃでは、左側に、差動信号出力ＩＣ３３Ｂ、データバス３４Ｄ及びソースドライバ３１Ｂ，３２Ｂ、右側に、差動信号出力ＩＣ３６Ｂ、データバス３９Ｄ及びソースドライバ３７Ｂ，３８Ｂが設けられている。また、接続基板２５ｂでは、左側に、差動信号出力ＩＣ５３Ｂ、データバス５４Ｄ及びソースドライバ５１Ｂ，５２Ｂ、右側に、差動信号出力ＩＣ５６Ｂ、データバス５９Ｄ及びソースドライバ５７Ｂ，５８Ｂが設けられている。差動信号出力ＩＣ３３Ｂ，３６Ｂ，５３Ｂ，５６Ｂ、データバス３４Ｄ，３９Ｄ，５４Ｄ，５９Ｄ、及びソースドライバ３１Ｂ，３２Ｂ，３７Ｂ，３８Ｂ，５１Ｂ，５２Ｂ，５７Ｂ，５８Ｂは、差動伝送に対応している。この画像表示装置の動作では、信号処理基板２６により、ある時点におけるデータバス３４Ｄ，３９Ｄ上の差動信号（データ信号）の出力部のペアの極性（＋／−）とデータバス５４Ｄ，５９Ｄ上の差動信号（データ信号）の出力部のペアの極性（−／＋）とが逆位相となり、接続基板２４ｃと接続基板２５ｃとで電流が互いに逆向きに設定される。これにより、第１の実施形態とほぼ同様の利点がある。
【００３９】
また、図１４に示す画像表示装置では、図１２中の接続基板２５ｂ及び信号処理基板２６に代えて、異なる構成の接続基板２５ｄ及び信号処理基板２６Ａが設けられている。接続基板２５ｄでは、図１２中のデータバス５４，５９に代えて、データバス５４Ａ，５９Ａが設けられている。データバス５４Ａ，５９Ａは、ある時点における同データバス５４Ａ，５９Ａ上の各データ信号の電流の向きが、データバス３４，３９上の各データ信号の電流の向きに対して互いに逆になるように配置されている。また、信号処理基板２６Ａは、各データ信号をデータバス３４，３９，５４Ａ，５９Ａに対して同一位相で送出する。この画像表示装置の動作では、ある時点におけるデータバス３４，３９，５４Ａ，５９Ａ上の各データ信号の電流の向きが、接続基板２４ｂと接続基板２５ｄとで互いに逆になる。これにより、第１の実施形態とほぼ同様の利点があり、また、信号処理基板２６Ａが、信号処理基板２６よりも簡単な構成となる。
【００４０】
また、図１５に示す画像表示装置では、図１３中の接続基板２５ｃ及び信号処理基板２６に代えて、異なる構成の接続基板２５ｅ及び信号処理基板２６Ａが設けられている。接続基板２５ｅでは、図１３中のデータバス５４Ｄ，５９Ｄに代えて、データバス５４Ｅ，５９Ｅが設けられている。データバス５４Ｅ，５９Ｅは、ある時点における同データバス５４Ｅ，５９Ｅ上の各データ信号の電流の向きが、データバス３４Ｄ，３９Ｄ上の各データ信号の電流の向きに対して互いに逆になるように配置されている。また、信号処理基板２６Ａは、各データ信号をデータバス３４Ｄ，３９Ｄ，５４Ｅ，５９Ｅに対して同一位相で送出する。この画像表示装置の動作では、ある時点におけるデータバス３４Ｄ，３９Ｄ，５４Ｅ，５９Ｅ上の各データ信号の電流の向きが、接続基板２４ｃと接続基板２５ｅとで互いに逆になる。これにより、第１の実施形態とほぼ同様の利点があり、また、信号処理基板２６Ａが、信号処理基板２６よりも簡単な構成となる。
【００４１】
また、図１６に示す画像表示装置では、図１２中の接続基板２４ｂ，２５ｂ及び信号処理基板２６に代えて、異なる構成の接続基板２４ｄ，２５ｆ及び信号処理基板２６Ａが設けられている。接続基板２４ｄでは、図１２中のデータバス３９に代えて、データバス３９Ａが設けられている。接続基板２５ｆでは、図１２中のデータバス５４に代えて、図１４と同様に、データバス５４Ａが設けられている。また、信号処理基板２６Ａは、各データ信号をデータバス３４，３９Ａ，５４Ａ，５９に対して同一位相で送出する。この画像表示装置の動作では、ある時点におけるデータバス３４，３９Ａ，５４Ａ，５９上の各データ信号の電流の向きは、データバス３４とデータバス５４Ａとで互いに逆になると共に、データバス３９Ａとデータバス５９とで互いに逆になり、かつ、データバス３４とデータバス３９Ａとで互いに逆になる。これにより、第２の実施形態とほぼ同様の利点があり、また、信号処理基板２６Ａが、信号処理基板２６よりも簡単な構成となる。
【００４２】
また、図１７に示す画像表示装置では、図１３中の接続基板２４ｃ，２５ｃ及び信号処理基板２６に代えて、異なる構成の接続基板２４ｅ，２５ｇ及び信号処理基板２６Ａが設けられている。接続基板２４ｅでは、図１３中のデータバス３９Ｄに代えて、データバス３９Ｅが設けられている。接続基板２５ｇでは、図１３中のデータバス５４Ｄに代えて、図１５と同様に、データバス５４Ｅが設けられている。また、信号処理基板２６Ａは、各データ信号をデータバス３４Ｄ，３９Ｅ，５４Ｅ，５９Ｄに対して同一位相で送出する。この画像表示装置の動作では、ある時点におけるデータバス３４Ｄ，３９Ｅ，５４Ｅ，５９Ｄ上の各データ信号の電流の向きは、データバス３４Ｄとデータバス５４Ｅとで互いに逆になると共に、データバス３９Ｅとデータバス５９Ｄとで互いに逆になり、かつ、データバス３４Ｄとデータバス３９Ｅとで互いに逆になる。これにより、第２の実施形態とほぼ同様の利点があり、また、信号処理基板２６Ａが、信号処理基板２６よりも簡単な構成となる。
【００４３】
また、各データバスのある時点における電流の向きは、種々の変形例がある。
たとえば、図１８（ａ）に示すように、接続基板が２枚で構成されている場合、表示パネル２１の左上側に接続基板６１、及び右上側に接続基板６２が配置されている。接続基板６１では、たとえば図３と同様に、図示しないソースドライバ３１，３２、及びＣＭＯＳインタフェース（ＣＭＯＳ−ＴｘＡ）３３が実装されている共に、データバス３４及び通知信号伝送配線３５が設けられ、また、接続基板６２では、ＣＭＯＳインタフェース（ＣＭＯＳ−ＴｘＢ）３６、及びソースドライバ３７，３８が実装されていると共に、データバス３９及び通知信号伝送配線４０が設けられている。この場合、ある時点におけるデータバス３４，３９上の各データ信号の電流の向きが、接続基板６１と接続基板６２とで逆向きになる。これにより、上記各実施形態とほぼ同様の作用、効果が得られ、ＥＭＩ放射レベルが低減される。
【００４４】
また、図１８（ｂ）に示すように、接続基板が２枚で構成されている場合、表示パネル２１の上側に接続基板６３、及び下側に接続基板６４が配置されている。接続基板６３では、図３と同様に、図示しないソースドライバ３１，３２、及びＣＭＯＳインタフェース（ＣＭＯＳ−ＴｘＡ）３３が実装され、また、データバス３４及び通知信号伝送配線３５が設けられ、ＣＭＯＳインタフェース（ＣＭＯＳ−ＴｘＢ）３６、及びソースドライバ３７，３８が実装され、データバス３９、通知信号伝送配線４０が設けられている。また、接続基板６４では、ソースドライバ５１，５２、及びＣＭＯＳインタフェース（ＣＭＯＳ−ＴｘＣ）５３が実装され、また、データバス５４及び通知信号伝送配線５５が設けられ、ＣＭＯＳインタフェース（ＣＭＯＳ−ＴｘＤ）５６、及びソースドライバ５７，５８が実装され、また、データバス５９、通知信号伝送配線６０が設けられている。この場合、ある時点におけるデータバス３４，３９及びデータバス５４，５９上の各データ信号の電流の向きが、接続基板６３と接続基板６４とで逆向きになる。これにより、上記実施形態とほぼ同様の作用、効果が得られ、ＥＭＩ放射レベルが低減される。
【００４５】
また、図１８（ｃ）に示すように、接続基板が３枚で構成されている場合、図１８（ａ）と同様に、表示パネル２１の左上側に接続基板６１、及び右上側に接続基板６２が配置され、また、図１８（ｂ）と同様に、表示パネル２１の下側に接続基板６４が配置されている。この場合、ある時点におけるデータバス３４，３９及びデータバス５４，５９上の各データ信号の電流の向きが、接続基板６１，６２と接続基板６４とで逆向きになる。これにより、上記実施形態とほぼ同様の作用、効果が得られ、ＥＭＩ放射レベルが低減される。
【００４６】
また、図１８（ｄ）に示すように、接続基板が４枚で構成されている場合、図１８（ａ）と同様に、表示パネル２１の左上側に接続基板６１、及び右上側に接続基板６２が配置され、また、表示パネル２１の左下側に接続基板６５、及び右下側に接続基板６６が配置されている。接続基板６５では、ソースドライバ５１，５２、及びＣＭＯＳインタフェース（ＣＭＯＳ−ＴｘＣ）５３が実装され、また、データバス５４及び通知信号伝送配線５５が設けられている。接続基板６６では、ＣＭＯＳインタフェース（ＣＭＯＳ−ＴｘＤ）５６、及びソースドライバ５７，５８が実装され、また、データバス５９、通知信号伝送配線６０が設けられている。この場合、ある時点におけるデータバス３４，３９及びデータバス５４，５９上の各データ信号の電流の向きが、上記第２の実施形態と同様となり、同様の効果が得られ、ＥＭＩ放射レベルが低減される。
【００４７】
また、図１８（ｅ）に示すように、接続基板が４枚で構成されている場合、図１８（ｄ）と同様に、表示パネル２１の左上側に接続基板６１、及び右上側に接続基板６２が配置され、左下側に接続基板６５、及び右下側に接続基板６６が配置されている。この場合、ある時点におけるデータバス３４，３９及びデータバス５４，５９上の各データ信号の電流の向きが、上記第１の実施形態と同様となり、同様の効果が得られ、ＥＭＩ放射レベルが低減される。
【産業上の利用可能性】
【００４８】
この発明は、液晶表示装置の他、たとえばプラズマ表示装置など、画像表示装置全般に適用でき、特に、大型かつ高精細で、データ信号の伝送配線が複雑になる場合に有効である。
【符号の説明】
【００４９】
１３      板金フレーム（筐体）
２１      表示パネル
２２，２３      走査ドライバ（走査線駆動回路）
２４，２５      データ線駆動回路
２４ａ，２５ａ      接続基板（基板）
２４ｂ，２５ｂ      接続基板（基板）
２４ｃ，２５ｃ      接続基板（基板）
２４ｄ，２５ｆ      接続基板
２４ｅ，２５ｇ      接続基板
２５ｄ      接続基板
２５ｅ      接続基板
２６，２６Ａ      信号処理基板（信号処理手段）
２６ａ      電源回路（信号処理手段の一部）
２６ｂ      映像信号処理回路（信号処理手段の一部）
３１，３２，３７，３８，５１，５２，５７，５８      ソースドライバ（データ線駆動回路の一部）
３１Ａ，３２Ａ，３７Ａ，３８Ａ，５１Ａ，５２Ａ，５７Ａ，５８Ａ      ソースドライバ（データ線駆動回路の一部）
３１Ｂ，３２Ｂ，３７Ｂ，３８Ｂ，５１Ｂ，５２Ｂ，５７Ｂ，５８Ｂ      ソースドライバ（データ線駆動回路の一部）
３３，３６，５３，５６      ＣＭＯＳインタフェース（データ線駆動回路の一部）
３３Ａ，３６Ａ，５３Ａ，５６Ａ      信号出力ＩＣ（データ線駆動回路の一部）
３３Ｂ，３６Ｂ，５３Ｂ，５６Ｂ      差動信号出力ＩＣ
３４，３９，５４，５９      データバス（データ信号伝送配線）
３４Ｄ，３９Ｄ，５４Ｄ，５９Ｄ      データバス（データ信号伝送配線）
３５，４０，５５，６０      通知信号伝送配線
３９Ｅ      データバス
４３，４４        タイミングコントローラ
４５      インバート信号生成部（極性反転通知信号生成部）
４６      インバート信号初期極性設定部（極性反転通知信号初期極性設定部）
５４Ａ，５９Ａ      データバス（データ信号伝送配線）
５４Ｅ，５９Ｅ      データバス（データ信号伝送配線）
【図１】
0005825468.tif 000002
【図２】
0005825468.tif 000003
【図３】
0005825468.tif 000004
【図４】
0005825468.tif 000005
【図５】
0005825468.tif 000006
【図６】
0005825468.tif 000007
【図７】
0005825468.tif 000008
【図８】
0005825468.tif 000009
【図９】
0005825468.tif 000010
【図１０】
0005825468.tif 000011
【図１１】
0005825468.tif 000012
【図１２】
0005825468.tif 000013
【図１３】
0005825468.tif 000014
【図１４】
0005825468.tif 000015
【図１５】
0005825468.tif 000016
【図１６】
0005825468.tif 000017
【図１７】
0005825468.tif 000018
【図１８】
0005825468.tif 000019
【図１９】
0005825468.tif 000020